(57)【要約】【課題】  ファイルや書類を簡単に保持し、見出し部材をカバー本体の外側に着脱可能に設けるとともに、外観に優れ、体裁良く持ち歩いたり室内装飾品としても用いることができるファイルカバーを提供する。【解決手段】  皮革製のファイルカバー１は、カバー本体２と、カバー本体２の外側に設ける見出し部材３とを有している。カバー本体２は、内側に一対のポケット４を、外側に一対の差込口６を備えている。差込口６は、カバー本体２の中心線Ｌ１から等距離隔離した対称位置に形成され、見出し部材３は、一方の差込口６から他方の差込口６までの距離と同一寸法の長さと、差込口６の開口長さと同一寸法の幅とを有し、表面に透明板７を取り付けた帯状の帯状部３ａと、帯状部３ａの長手方向両端部の両側に突出する抜止め部３ｃとを有している。【選択図】  図８
0003107002.tif 000002
【実用新案登録請求の範囲】
【請求項１】
矩形のカバー本体と、該カバー本体の外側に着脱可能に取り付けられる見出し部材とを備えたファイルカバーであって、前記カバー本体は、基材の内側に各種ファイルや書類を保持する保持部を、外側に前記見出し部材を着脱可能に保持する一対の差込口をそれぞれ備え、該一対の差込口は、前記カバー本体の中心線から等距離隔離した対称位置にそれぞれ形成され、前記見出し部材は、前記一方の差込口から他方の差込口までの距離と同一寸法の長さを有し、且つ、前記差込口の開口幅と同一寸法の幅を有する帯状部と、該帯状部の長手方向両端部両側にそれぞれ突出する抜止め部とを有することを特徴とするファイルカバー。
【請求項２】
前記基材は、皮革または布で形成されることを特徴とする請求項１記載のファイルカバー。
【請求項３】
前記見出し部材の帯状部前面に、長手方向両端部をそれぞれ開口させて透明板を取り付け、該透明板と前記帯状部前面との間に見出し用紙片を挿入することを特徴とする請求項１又は２記載のファイルカバー。
【請求項４】
前記保持部は、前記基材の内側の長手方向両端部に、前記中心線に対向する内縁部を除く上縁部と下縁部と外縁部とを縫い付けて形成した一対のポケットであるとともに、前記カバー本体の外側に、前記基材の幅と同一寸法の幅と、前記基材の長さの２分の１以下の寸法の長さを有する矩形の一対の表部材を、前記基材外側の長手方向両端部に、前記中心線に対向する内縁部の対向する一部を除く縁部を縫い付け、前記一部の非縫製部分によって前記差込口を形成したことを特徴とする請求項１乃至３のいずれか１項記載のファイルカバー。
【考案の詳細な説明】
【技術分野】
【０００１】
本考案は、各種ファイルの外側を覆うファイルカバーに係り、特に、皮革製（合成皮革製を含む）や布製のカバー本体と見出し部材とを備えたファイルカバーに関する。
【背景技術】
【０００２】
従来、書物の外側を覆うブックカバーは数多く市販されており、例えば、背の幅を使用者が任意に変更して使用することができるブックカバー等が提案されているが（例えば、特許文献１参照）、書類を綴じた紙製、樹脂製のファイルの外側を覆うカバーは市販されていなかった。このため、ファイルは鞄の中に入れて持ち運ばれることが多く、また、事務用品としてのみ使用され、家具やインテリア等に調和するものではなかった。
【０００３】
さらに、ファイルに綴じた書類を仕分けするために、様々な見出し部材が提案されており、例えば、見出し部材を矩形の帯状部と該帯状部を囲む枠と挟持舌片とで形成し、帯状部上縁の枠を張り出して見出し用紙片の上部を保持し、枠の下部に突片を設けて見出し用紙片の下部を保持するとともに、枠の下部に下方に延出する挟持舌片を形成したものがある（特許文献２参照）。
【特許文献１】実用新案登録第３０３１８９８号公報
【特許文献２】実公昭６２−３４７８７号公報
【考案の開示】
【考案が解決しようとする課題】
【０００４】
書類を綴じた各種ファイルを、プレゼンテーションや会議のために持ち歩くことは多く、鞄の中に入れてファイルを持ち歩かなくても、ファイルにブックカバーのようなカバーを付けて体裁良く持ち歩くことが望まれている。また、ファイルを単なる事務用品として使用するのみでなく、家具やインテリア等に調和させ、室内装飾品としても用いることができるようにすることが望まれている。
【０００５】
さらに、上述のように各種見出し部材が考案されているが、ファイルに装着するカバーにも見出し部材を装着すれば、綴じられている書類の内容をファイルを開かなくても容易に知ることができる。
【０００６】
そこで本考案は、簡単な構造で、各種ファイルをカバーするとともに、見出し部材をカバー本体の外側に着脱可能に設けることができ、外観に優れ、鞄に入れて持ち運ばなくても、ファイルを体裁良く持ち歩くことができるファイルカバーを提供することを目的とし、さらには、ファイルにファイルカバーを装着することにより、事務用品としてのファイルを、室内装飾品としても用いることができるようにすることを目的としている。
【課題を解決するための手段】
【０００７】
上記の目的を達成するため本考案は、矩形のカバー本体と、該カバー本体の外側に着脱可能に取り付けられる見出し部材とを備えたファイルカバーであって、前記カバー本体は、基材の内側に各種ファイルや書類を保持する保持部を、外側に前記見出し部材を着脱可能に保持する一対の差込口をそれぞれ備え、該一対の差込口は、前記カバー本体の中心線から等距離隔離した対称位置にそれぞれ形成され、前記見出し部材は、前記一方の差込口から他方の差込口までの距離と同一寸法の長さを有し、且つ、前記差込口の開口幅と同一寸法の幅を有する帯状部と、該帯状部の長手方向両端部両側にそれぞれ突出する抜止め部とを有することを特徴としている。また、前記基材は、皮革または布で成形してもよく、さらに、前記見出し部材の帯状部前面に、長手方向両端部をそれぞれ開口させて透明板を取り付け、該透明板と前記帯状部前面との間に見出し用紙片を収容することもできる。
【０００８】
また、前記保持部は、前記基材の内側の長手方向両端部に、前記中心線に対向する内縁部を除く上縁部と下縁部と外縁部とを縫い付けて形成した一対のポケットであるとともに、前記カバー本体の外側に、前記基材の幅と同一寸法の幅と、前記基材の長さの２分の１以下の寸法の長さを有する矩形の一対の表部材を、前記基材外側の長手方向両端部に、前記中心線に対向する内縁部の対向する一部を除く縁部を縫い付け、前記一部の非縫製部分によって前記差込口を形成したことを特徴としている。
【考案の効果】
【０００９】
上述の構成により、各種ファイルの表表紙と裏表紙とを保持部に保持させるだけで、ファイルにファイルカバーを容易に装着することができる。見出し部材は、抜止め部を撓ませながら差込口に挿入して装着すれば、装着後に抜止め部が差込口から抜け出ることがなく、見出し部材をカバー本体に確実に取り付けることができる。さらに、見出し部材を着色し、ファイルに綴じた書類の内容により、見出し部材を色分けすれば、ファイルを簡単に整理することができる。
【００１０】
また、カバー本体の基材を、皮革または布で成形することにより、質感やデザイン的に優れたものとなり、ファイルを体裁良く持ち歩くことや、事務用品としてのファイルを室内装飾品としても用いることができる。さらに、保持するファイルの背表紙の厚さが設定されたものよりも薄いものであっても、基材が皮革または布等の柔軟な材料で形成されていることから適宜対応することができ、１つのファイルカバーを数種類の厚さのファイルに適用することができる。
【００１１】
また、保持部をポケットで形成したことにより、ファイルの表表紙と裏表紙とを確実に保持させることができると共に、該ポケットに、ファイルに綴じていない状態の書類をそのまま保持させることもできる。
【００１２】
さらに、見出し部材の帯状部前面に透明板を取り付け、該透明板と前記帯状部前面との間に、ファイルに綴じた書類の内容を記載した見出し用紙片を挿入すれば、書類の内容を簡単に知ることができる。また、見出し部材は、カバー本体の中心線を挟んで配設されることから、ファイルを保持したカバー本体が中央部分から折り曲げられることにより、透明板と見出し部材の帯状部との間に保持させた見出し用紙片が脱落することがなく、見出し用紙片を確実に保持させることができる。
【考案を実施するための最良の形態】
【００１３】
以下、本考案の一形態例を図面に基づいて詳しく説明する。図１は本考案の第１形態例を示すファイルカバーの内側を示す斜視図、図２はファイルカバーの外側を示す斜視図、図３は見出し部材を示す斜視図、図４は透明板を備えた見出し部材に見出し用紙片を装着する状態を示す説明図、図５は図４に示す見出し部材の断面図、図６はカバー本体に見出し部材を取り付けた状態を示す説明図、図７はカバー本体の差込口を示す説明図、図８はファイルカバーにファイルを保持させた状態を示す斜視図、図９はファイルカバーにファイルを保持させた状態を示す説明図、図１０はファイルカバーに書類を保持させた状態を示す説明図である。
【００１４】
ファイルカバー１は、皮革や合成皮革や布で形成され、内側に各種ファイルや書類を収容する矩形のカバー本体２と、該カバー本体２の外側に着脱可能に取り付けられる見出し部材３とを備えている。
【００１５】
カバー本体２は、長方形状の基材２ａの内側に、カバー本体２の中心線Ｌ１側を開口した一対のポケット４，４が形成されている。このポケット４，４は、基材２ａの幅と同一寸法の幅と、基材２ａの長さの略３分の１の寸法の長さを備えた矩形の皮革で形成されるポケット形成部材４ａ，４ａを、基材２ａの長手方向両端部に、前記中心線Ｌ１に対向する内縁部を除いた上縁部と下縁部と外側縁部とをそれぞれ基材２ａに縫い付けて形成されている。
【００１６】
基材２ａの外側の長手方向両端部には、一対の表部材５，５が縫い付けられる。表部材５は、基材２ａの幅と同一寸法の幅と、基材２ａの長さの２分の１以下の寸法の長さを備えた矩形の皮革で形成され、基材２ａの長手方向両端部に、上縁部と下縁部と外側縁部の全体と、中心線Ｌ１側の内側縁部の下方の一部を除いた部分が、基材２ａに縫い付けられる。これにより、両表部材５，５は、中心線Ｌ１を挟んで、所定の距離Ｓを空けて基材２ａに取り付けられる。また、両表部材５，５の非縫製部分は、前記中心線Ｌ１を挟んだ対称位置に設けられ、この非縫製部分が見出し部材３の差込口６，６となる。
【００１７】
このように、所定の距離Ｓを空けて一対の表部材５，５を設けることにより、カバー本体２の書類収納部分の強度や耐久性を向上できるとともに、中央部分の柔軟性を確保できる。
【００１８】
見出し部材３は、図３に示されるように、基材２ａと同じような皮革又は合成皮革で形成され、前記一方の差込口６から他方の差込口６までの距離Ｓ（表部材５，５間の距離Ｓ）と同一寸法の長さを有し、且つ、差込口６の開口幅と同一寸法の幅を有する帯状部３ａと、該帯状部３ａの長手方向両端部にそれぞれ形成される差込片３ｂ，３ｂとを備えている。差込片３ｂ，３ｂは、三角形状に形成され、帯状部３ａの長手方向端部に連続する一辺は、帯状部３ａの長手方向端部の幅寸法よりも幅広く形成され、この帯状部３ａの長手方向端部の両側から突出する部分が抜止め部３ｃ，３ｃとなる。
【００１９】
見出し部材３は、前記抜止め部３ｃ，３ｃによって差込片３ｂ，３ｂを差込口６，６に保持させることができ、見出し部材３を簡単且つ確実にカバー本体２の外側に装着させることができる。また、抜止め部３ｃ，３ｃを撓ませながら、帯状部３ａを引っ張ることにより、差込片３ｂ，３ｂを差込口６から抜き取ることができ、見出し部材３をカバー本体２から簡単に取り外すことができる。
【００２０】
見出し部材３は、異なる色に着色したものを複数用意して、ファイルカバー１に収容されるファイルされた書類の内容や使用者等に応じて色を変えれば、ファイルを簡単に区分及び識別することができる。また、見出し部材３の表面に、書類の内容や使用者等に応じたマークや文字を刻印してもよい。
【００２１】
図４及び図５に示された見出し部材３’は、前記見出し部材３の帯状部３ａに透明板７を取り付けたもので、透明板７は、帯状部３ａと略同一形状の柔軟性を有する透明合成樹脂材で形成され、長手方向両端を開口させて幅方向両縁部が帯状部３ａに縫い付けられる。この見出し部材３’は、帯状部３ａと透明板７との間に、所定事項を記入した見出し用紙片８を挿入して挟持させることができ、該見出し用紙片８によって、ファイルされた書類の内容を簡単に認識することができる。
【００２２】
上述のように形成されたファイルカバー１は、図８及び図９に示すように、ポケット４，４に、ファイル９の表表紙９ａと裏表紙９ｂとを挿入すれば、簡単にファイル９の外側を覆うことができる。
【００２３】
また、カバー本体２や見出し部材３は、皮革や合成皮革や布で形成されていることから、外観が良好で、ファイルカバー１を鞄に収容せずに、そのまま持ち歩いても体裁が良い。さらに、紙製や樹脂製の事務用品としてのファイルに、前記ファイルカバー１を装着することによって、質感やデザイン的に優れたものとなり、カバー本体２と見出し部材３、３’の色合い等を工夫することにより、書棚に収容した状態の見栄えが良くなったり、周囲の家具やインテリア等に調和させることができ、室内装飾品としても適用できるようになる。
【００２４】
カバー本体２は、柔軟な皮革や合成皮革や布で形成されていることから、保持されるファイル９の背表紙の厚さが、所定の厚さよりも薄いものであっても、適宜カバー本体２を折り返して使用することができ、１つのファイルカバーを数種類のファイルに対応させることができる。さらに、見出し部材３は、抜止め部３ｃ，３ｃによって差込口６から脱落する虞がなく、カバー本体２の外側に確実に装着させることができ、ファイル９の背表紙に対応する部分に見出し部材３が位置することから、見出し部材３や見出し用紙片８を認識し易い。また、カバー本体２は中心線Ｌ１近傍で折曲されるので、見出し用紙片８が透明板７と見出し部材３’の帯状部３ａとの間から脱落する虞がない。
【００２５】
ファイルカバー１は、図１０に示すように、ファイルに綴じない状態の各種書類１０をポケット４，４に収容して保持することもでき、比較的薄い書類を保持する際には、カバー本体２を中心線Ｌ１から二つ折りにし、比較的厚い書類を保持する際には、カバー本体２を中心線Ｌ１からＵ字状に折り返して持ち運ぶことができる。
【００２６】
尚、上述の形態例では、用いられる見出し部材は１つであるが、差込口を複数形成し、複数の見出し部材をカバー本体に取り付けるようにしてもよい。さらに、上述の形態例では、保持部をポケットで構成しているが、本考案はこれに限るものではなく、カバー本体の幅方向に設けたベルトでもよい。また、ポケットは内縁部と上縁部とを除いた外縁部と下縁部とをカバー本体に縫い付けたものでもよく、内縁部と上縁部とを開口させることにより、ファイルを収容しやすくすることができる。
【図面の簡単な説明】
【００２７】
【図１】本考案の第１形態例を示すファイルカバーの内部を示す斜視図である。
【図２】同じくファイルカバーの外部を示す斜視図である。
【図３】同じく見出し部材の斜視図である。
【図４】透明板を取り付けた見出し部材の説明図である。
【図５】図４の見出し部材の断面図である。
【図６】同じくカバー本体に見出し部材を取り付けた状態を示す説明図である。
【図７】同じくカバー本体の差込口を示す説明図である。
【図８】同じくファイルカバーにファイルを保持させた状態を示す斜視図である。
【図９】同じくファイルを保持させたファイルカバーを開いた状態を示す説明図である。
【図１０】同じくファイルカバーに書類を保持させた状態を示す説明図である。
【符号の説明】
【００２８】
１…ファイルカバー、２…カバー本体、２ａ…基材、３…見出し部材、３ａ…帯状部、３ｂ…差込片、３ｃ…抜止め部、４…ポケット、４ａ…ポケット形成部材、５…表部材、６…差込口、７…透明板、８…見出し用紙片、９…ファイル、９ａ…表表紙、９ｂ…裏表紙、１０…書類、Ｌ１…カバー本体の中心線、Ｓ…表部材間の距離
【図１】
0003107002.tif 000003
【図２】
0003107002.tif 000004
【図３】
0003107002.tif 000005
【図４】
0003107002.tif 000006
【図５】
0003107002.tif 000007
【図６】
0003107002.tif 000008
【図７】
0003107002.tif 000009
【図８】
0003107002.tif 000010
【図９】
0003107002.tif 000011
【図１０】
0003107002.tif 000012